(57)【要約】【課題】安価で被包装物の横滑り防止を図ることのできる包装形態を提供する。【解決手段】底面を形成する底板部材１０１、該底板部材上に設けられて桁を構成する複数の桁部材１０２、該桁部材上に設けられて天面を形成する天板部材１０３とを備え、桁部材の一部が天板部材の縁部から露出するように構成された底板（パレットＰ１）と、被包装物５００の側部に接触して当該被包装物の横滑りを防止する横滑り防止部材２００とを含み、横滑り防止部材の底側の端部が、天板部材の縁部から露出する桁部材のみに載るようにした。【選択図】図１
2012116534.tif 000002
【特許請求の範囲】
【請求項１】
底面を形成する底板部材、該底板部材上に設けられて桁を構成する複数の桁部材、および該桁部材上に設けられて天面を形成する天板部材を備え、前記桁部材の一部が前記天板部材の縁部から露出するように構成された底板と、
被包装物の側部に接触して当該被包装物の横滑りを防止する枠型をした横滑り防止部材と、
を含み、
前記横滑り防止部材の底側の端部が、前記天板部材の縁部から露出する前記桁部材のみに載るようにしたことを特徴とする包装形態。
【請求項２】
前記横滑り防止部材は、前記天板部材の縁部と露出した前記桁部材とで形成される段差によって水平方向の移動が規制されることを特徴とする請求項１に記載の包装形態。
【請求項３】
底面を形成する底板部材、該底板部材上に設けられて桁を構成する複数の桁部材、および該桁部材上に設けられて天面を形成する天板部材から構成された底板と、
被包装物の側部に接触して当該被包装物の横滑りを防止する枠型をした横滑り防止部材と、
を含み、
前記横滑り防止部材の底側の端部が、前記桁部材と対向する前記天板部材の縁部のみに載るようにしたことを特徴とする包装形態。
【請求項４】
底面を形成する底板部材と、
該底板部材上に設けられて桁を構成する複数の桁部材と、
該桁部材上に設けられて天面を形成する天板部材と、
を備え、
前記桁部材の一部が前記天板部材の縁部から露出するように構成され、且つ、前記天板部材のサイズは前記横滑り防止部材の内寸よりも小さく選定されることを特徴とする底板。
【請求項５】
前記底板部材、前記桁部材および前記天板部材は、段ボール紙で形成されることを特徴とする請求項４に記載の底板。
【請求項６】
段ボール紙で枠型に形成され、上方に向かうにしたがって内径が狭まり、最上部の内径が被包装物の側部と接触する大きさとなるように構成されたことを特徴とする横滑り防止部材。
【発明の詳細な説明】
【技術分野】
【０００１】
本発明は、包装形態、底板および枠型の横滑り防止部材に関するものである。
【背景技術】
【０００２】
一般的に、プリンタや複写機などの重量のある製品を梱包する梱包箱の底部には、木製や段ボール製のパレット（底板）が取り付けられている。
【０００３】
即ち、このような梱包箱では、木製や段ボール製のパレットの上に、製品を収容するための底面の無い梱包ケースが載せられる包装形態が採用されている。
【０００４】
上述のような木製または段ボール製のパレットは、例えば底面を形成する底板部材と、この底板部材上に設けられる複数本の縦桁および横桁と、これらの縦桁および横桁の上に設けられて天面を形成する天板部材とから構成される。
【０００５】
ところで、プリンタや複写機などのキャスター（車輪）付きの被包装物の包装形態として、パレットにキャスター付き被包装物を載せて、被包装物の下端側を金属製のブラケットを用いてボルトでパレットに固定して横滑りの防止を図った上で、梱包用箱を被せて梱包する場合がある。
【０００６】
しかしながら、このようなキャスター付き被包装物の包装形態において段ボール製のパレット（いわゆる段ボールパレット）を使用する場合には、被包装物をボルトで固定することが難しい場合があった。
【０００７】
段ボールパレットに関する技術は、特開２００６−５６５８９号公報など種々提案されている。
【先行技術文献】
【特許文献】
【０００８】
【特許文献１】特開２００６−５６５８９号公報
【発明の概要】
【発明が解決しようとする課題】
【０００９】
本発明は、簡易な構成で被包装物の横滑り防止を図ることのできる包装形態、底板および枠型の横滑り防止部材を提供することを目的とする。
【課題を解決するための手段】
【００１０】
前記課題を解決するため、請求項１の発明に係る包装形態は、底面を形成する底板部材、該底板部材上に設けられて桁を構成する複数の桁部材、および該桁部材上に設けられて天面を形成する天板部材を備え、前記桁部材の一部が前記天板部材の縁部から露出するように構成された底板と、被包装物の側部に接触して当該被包装物の横滑りを防止する枠型をした横滑り防止部材とを含み、前記横滑り防止部材の底側の端部が、前記天板部材の縁部から露出する前記桁部材のみに載るようにしたことを特徴とする。
【００１１】
請求項２の発明に係る包装形態は、請求項１に記載の発明について、前記横滑り防止部材は、前記天板部材の縁部と露出した前記桁部材とで形成される段差によって水平方向の移動が規制されることを特徴とする。
【００１２】
請求項３の発明に係る包装形態は、底面を形成する底板部材、該底板部材上に設けられて桁を構成する複数の桁部材、および該桁部材上に設けられて天面を形成する天板部材から構成された底板と、被包装物の側部に接触して当該被包装物の横滑りを防止する枠型をした横滑り防止部材とを含み、前記横滑り防止部材の底側の端部が、前記桁部材と対向する前記天板部材の縁部のみに載るようにしたことを特徴とする。
【００１３】
請求項４の発明に係る底板は、底面を形成する底板部材と、当該底板部材上に設けられて桁を構成する複数の桁部材と、当該桁部材上に設けられて天面を形成する天板部材とを備え、前記桁部材の一部が前記天板部材の縁部から露出するように構成され、且つ、前記天板部材のサイズは前記横滑り防止部材の内寸よりも小さく選定されることを特徴とする。
【００１４】
請求項５の発明に係る底板は、請求項４に記載の発明について、前記底板部材、前記桁部材および前記天板部材は、段ボール紙で形成されることを特徴とする。
【００１５】
請求項６の発明に係る横滑り防止部材は、段ボール紙で枠型に形成され、上方に向かうにしたがって内径が狭まり、最上部の内径が被包装物の側部と接触する大きさとなるように構成されたことを特徴とする。
【発明の効果】
【００１６】
本発明によれば以下の効果を奏することができる。
【００１７】
すなわち、請求項１に記載の発明によれば、本構成を有していない場合に比較して、簡易な構成で被包装物の横滑り防止を図ることのできる包装形態を提供することができる。
【００１８】
請求項２に記載の発明によれば、本構成を有していない場合に比較して、簡易な構成で被包装物の横滑り防止をより有効に行うことのできる包装形態を提供することができる。
【００１９】
請求項３に記載の発明によれば、本構成を有していない場合に比較して、簡易な構成で被包装物の横滑り防止を図ることのできる包装形態を提供することができる。
【００２０】
請求項４に記載の発明によれば、本構成を有していない場合に比較して、簡易な構成で被包装物の横滑り防止を図ることのできる底板を提供することができる。
【００２１】
請求項５に記載の発明によれば、本構成を有していない場合に比較して、安価に被包装物の横滑り防止を図ることのできる底板を提供することができる。
【００２２】
請求項６に記載の発明によれば、本構成を有していない場合に比較して、安価で簡易な構成で被包装物の横滑り防止を図ることのできる横滑り防止部材を提供することができる。
【図面の簡単な説明】
【００２３】
【図１】第１の実施の形態に係る包装形態の概略手順を示す説明図である。
【図２】第１の実施の形態に係る包装形態の概略手順を示す斜視図である。
【図３】第１の実施の形態に係る包装形態の次の手順を示す斜視図である。
【図４】第１の実施の形態に係る包装形態の次の手順を示す斜視図である。
【図５】第２の実施の形態に係る包装形態の概要を示す説明図である。
【図６】第３の実施の形態に係る包装形態に用いる横滑り防止部材の概略構成を示す斜視図である。
【図７】第３の実施の形態に係る包装形態に用いる横滑り防止部材の概略構成を示す一部断面図である。
【図８】第３の実施の形態に係る包装形態の概略手順を示す斜視図である。
【図９】第３の実施の形態に係る包装形態の次の手順を示す斜視図である。
【図１０】第４の実施の形態に係る包装形態に用いる横滑り防止部材の概略構成を示す斜視図である。
【図１１】第４の実施の形態に係る包装形態に用いる横滑り防止部材の概略構成を示す一部断面図である。
【図１２】第５の実施の形態に係る包装形態に用いる横滑り防止部材の概略構成を示す斜視図である。
【図１３】第５の実施の形態に係る包装形態に用いる横滑り防止部材の概略構成を示す一部断面図である。
【図１４】比較対象としてのパレットの概略構成を示す斜視図である。
【図１５】比較対象としてのパレットを用いた包装形態の概略を示す斜視図である。
【図１６】比較対象としてのパレットを用いた包装形態の概略を示す説明図である。
【発明を実施するための形態】
【００２４】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２５】
本発明についての実施の形態に係る包装形態、底板（パレット）および横滑り防止部材について説明する前に、図１４〜図１６を参照して比較対象となる例について述べる。
【００２６】
比較対象としての木製のパレットＰ１０は、例えば図１４に示すように、底面を形成する木製の底板部材３０１と、この底板部材３０１上に設けられる複数本の縦桁および横桁から構成される木製の桁部材３０２と、桁部材３０２上に設けられて天面を形成する木製の天板部材３０３とから構成される。
【００２７】
また、天板部材３０３の上には、キャスター（車輪）５０１を備える電子機器等の被包装物５００（図１５、図１６参照）の形状に合わせて発泡スチロール等で成形された複数の緩衝用パッド３０４が固定されている。
【００２８】
また、フック部３０５ｂを介して被包装物５００の下端側に保持されて被包装物５００のキャスター５０１による横滑りを防止する複数の金属製の固定部材３０５が、天板部材３０３にボルト３０５ａをねじ込んで固定されている。
【００２９】
さらに、天板部材３０３の四隅には、梱包用箱（梱包ケース）の下端部を位置決めする位置決め部材３０６が設けられている。
【００３０】
そして、上記構成の木製のパレットＰ１０を用いて、図１５に示すように、天板部材３０３の緩衝用パッド３０４の上に被包装物５００を置き、キャスター５０１が天板部材３０３から離れた状態で保持し、固定部材３０５のフック部３０５ｂを被包装物５００の下端側に引っ掛けて保持する。
【００３１】
次いで、図１６に示すように、梱包用箱６００を被せて被包装物５００の梱包を完了する。
【００３２】
このように、比較対象としての木製のパレットＰ１０を用いた包装形態によれば、輸送時等における横滑りの防止が図られる。
【００３３】
ところが、コストの低廉化等を図るために木製のパレットに代えて段ボール製のパレット（いわゆる段ボールパレット）を使用する場合には、固定部材３０５を取り付けるにあたって、段ボール製の天板部材にボルト３０５ａをねじ込むことは強度の点で困難であるという課題があった。
【００３４】
そこで、本発明者は、上記課題を解消すべく鋭意研究の結果、本発明に係る包装形態、底板（パレット）および横滑り防止部材を案出するに至った。
【００３５】
図１から図１３を参照して、本発明についての実施の形態に係る包装形態、底板（パレット）および横滑り防止部材について説明する。
【００３６】
まず、図１から図４を参照して、第１の実施の形態に係る包装形態について説明する。
【００３７】
図１に示すように、本実施の形態に係る底板（パレット）Ｐ１は、段ボール紙で形成され、底面を形成する底板部材１０１と、この底板部材１０１上に設けられて桁を構成する複数の桁部材１０２と、これらの桁部材１０２上に設けられて天面を形成する天板部材１０３とを備え、桁部材１０２の一部１０２ａが天板部材１０３の縁部から露出するように構成されている。
【００３８】
なお、天板部材１０３のサイズは、後述する横滑り防止部材２００の内寸よりも小さく選定されている。
【００３９】
また、本実施の形態に係る横滑り防止部材２００は、図１に示すように、段ボール紙で形成された４つの枠構成部材２０１を枠型に組み、各角部を粘着テープ２０２で留めて構成される。
【００４０】
なお、横滑り防止部材２００は、上方に向かうにしたがって内径が狭まり、最上部の内径が被包装物５００（図３参照）の側部と接触する大きさとなっている。
【００４１】
そして、底板Ｐ１の上に、上記構成の横滑り防止部材２００を載せると図２に示すような状態となる。
【００４２】
次いで、図２示す状態において、図３に示すようにキャスター（車輪）５０１を備えるプリンタ等の被包装物５００を載せる。
【００４３】
続いて、図４に示すように、梱包用箱６００を被せて被包装物５００の梱包を完了する。
【００４４】
このように、本実施の形態に係る包装形態によれば、被包装物５００の下端側の側部が横滑り防止部材２００の上端部側の内壁によって保持され、簡易な構成で被包装物５００の横滑りが防止される。
【００４５】
また、金属製の固定部材３０５が不要となり、横滑り防止部材２００自体が安価な段ボール紙で構成されているので、包装に要するコストが低減される。
【００４６】
次に、図５を参照して、第２の実施の形態について述べる。
【００４７】
図５に示す実施の形態では、横滑り防止部材２００に代えて、底部２５０ａを有する横滑り防止部材２５０を用いている。
【００４８】
また、図５に示す実施の形態では、横滑り防止部材２５０の底部２５０ａの上に発泡スチロール等で成形された複数の緩衝用パッド２１０が設けられており、この緩衝用パッド２１０の上にキャスター（車輪）５０１を備えるプリンタ等の被包装物５００が載せられている。
【００４９】
これにより、衝撃を吸収すると共に横滑りが防止される。
【００５０】
次に、図６から図９を参照して、第３の実施の形態に係る梱包形態について説明する。
【００５１】
第１の実施の形態に係る横滑り防止部材２００との相違点は、１枚の細長い段ボール紙７０１を折り曲げ加工して横滑り防止部材７００を構成し、端部同士を粘着テープ７０２で留めている点である。
【００５２】
そして、図７に示すように、１枚の細長い段ボール紙７０１の端部同士を粘着テープ７０２で留めた後、段ボール紙７０１の上下の縁部を内側にそれぞれ矢印Ｂ方向、Ｃ方向に折り曲げて強度を向上させている。
【００５３】
このようにして形成された横滑り防止部材７００は、図８に示すように第１の実施の形態で示したパレットＰ１に対して矢印Ｄ方向に嵌められる。
【００５４】
次いで、前出の図３のように被梱包物を載せた後、梱包用箱６００を被せて被包装物の梱包を完了する。
【００５５】
このように、本実施の形態に係る包装形態によれば、被包装物の下端側の側部が横滑り防止部材７００の内壁によって保持され、簡易且つ安価な構成で被包装物の横滑りが防止される。
【００５６】
次に、図１０、図１１を参照して、第４の実施の形態に係る横滑り防止部材８００について簡単に述べる。
【００５７】
第３の実施の形態で示した横滑り防止部材７００との違いは、図１１の断面図に示すように、１枚の細長い段ボール紙８０１の上下の縁部を矢印Ｅ、Ｆ方向に折り曲げ加工するなどして、図１０に示すような形状の横滑り防止部材８００を構成している点である。
【００５８】
この横滑り防止部材８００を用いた梱包形態は、第２の実施の形態と同様である。
【００５９】
即ち、パレットＰ１に対して横滑り防止部材８００を載せ、前出の図３のように被梱包物を載せた後、梱包用箱６００を被せて被包装物の梱包を完了する。
【００６０】
このように、本実施の形態に係る横滑り防止部材８００によれば、被包装物の下端側の側部が横滑り防止部材８００の内壁によって保持され、簡易且つ安価な構成で被包装物の横滑りが防止される。
【００６１】
次に、図１２、図１３を参照して、第５の実施の形態に係る横滑り防止部材９００について簡単に述べる。
【００６２】
第４の実施の形態で示した横滑り防止部材８００との違いは、図１３の断面図に示すように、１枚の細長い段ボール紙９０１の上方の縁部を矢印Ｇ方向に折り曲げ加工するなどして、図１２に示すような形状の横滑り防止部材９００を構成している点である。
【００６３】
この横滑り防止部材９００を用いた梱包形態は、第２の実施の形態と同様である。
【００６４】
即ち、パレットＰ１に対して横滑り防止部材９００を載せ、前出の図３のように被梱包物を載せた後、梱包用箱６００を被せて被包装物の梱包を完了する。
【００６５】
このように、本実施の形態に係る横滑り防止部材９００によれば、被包装物の下端側の側部が横滑り防止部材９００の内壁によって保持され、簡易且つ安価な構成で被包装物の横滑りが防止される。
【００６６】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【産業上の利用可能性】
【００６７】
本発明による包装形態、底板および横滑り防止部材は、電子機器等の包装に適用することができる。
【符号の説明】
【００６８】
Ｐ１  パレット
１０１  底板部材
１０２  桁部材
１０２ａ  桁部材の一部
１０３  天板部材
２００  横滑り防止部材
２０１  枠構成部材
２０２  粘着テープ
２１０  緩衝用パッド
２５０  防止部材
２５０ａ  底部
３０１  底板部材
３０２  桁部材
３０３  天板部材
３０４  緩衝用パッド
３０５  固定部材
３０５ａ  ボルト
３０５ｂ  フック部
３０６  位置決め部材
５００  被包装物
５０１  キャスター
６００  梱包用箱
７００  横滑り防止部材
７０１  段ボール紙
７０２  粘着テープ
８００  横滑り防止部材
８０１  段ボール紙
９００  横滑り防止部材
９０１  段ボール紙
Ｐ１０  パレット
【図１】
2012116534.tif 000003
【図２】
2012116534.tif 000004
【図３】
2012116534.tif 000005
【図４】
2012116534.tif 000006
【図５】
2012116534.tif 000007
【図６】
2012116534.tif 000008
【図７】
2012116534.tif 000009
【図８】
2012116534.tif 000010
【図９】
2012116534.tif 000011
【図１０】
2012116534.tif 000012
【図１１】
2012116534.tif 000013
【図１２】
2012116534.tif 000014
【図１３】
2012116534.tif 000015
【図１４】
2012116534.tif 000016
【図１５】
2012116534.tif 000017
【図１６】
2012116534.tif 000018